(57)【要約】【課題】必要最小限の大きさで、リサイクル可能な自動閉鎖装置の出面調節具を提供する。  【解決手段】出面調節具は、ベースを構成するベース面１６ａと、ベース面１６ａの左右の折曲溝１７とこの折曲溝１７の上下の切込部１８、１９を境界として、折曲溝１７に各々頭部が連設されたＴ字状面の脚部からなり、係合保持本体の取付板に設けられた差込穴に差し込まれる差込片２０，２１を構成する差込面２０ａ、２１ａと、Ｔ字状面の頭部に差込面２０ａ、２１ａの両側に沿って設けられた折曲溝２２、２３を境界として両側に連設され係合保持本体６の前面６ａの出面の調節をする調節片２４〜２７を構成する調節面２４ａ〜２７ａと、が一枚の可燃性剛性板材からなる展開形状をなし、出面調節具は、各折曲溝を略直角に折曲げることにより組み立てられ、ベース１６の前面に扉保持フック２の仮止め用の両面接着テープ２８が貼り付けられている。【選択図】図４
2009034139.tif 000002
【特許請求の範囲】
【請求項１】
防火戸に取付られ、フック部とこのフック部を前記防火戸に取付けるフック取付ベースとからなる扉保持フックと、前記扉保持フックに係合して前記防火戸を壁面に係合保持する係合保持本体と、この係合保持本体の出面を調節する出面調節機構とを備え、前記出面調節機構は、前記係合保持本体を前後に摺動自在に支持する開口部を有し、前記壁面に取り付けられる取付板と、前記取付板に頭部が回動自在に嵌着された出面調節ネジと、前記係合保持本体の背面に設けられ前記出面調節ネジに螺合する背面板とを有し、前記係合保持本体の前記出面の調節と前記扉保持フックの防火戸への取付位置決めを行う自動閉鎖装置の出面調節具において、
前記出面調節具は、可燃性剛性板材からなり、前面と裏面の最大高さが前記フック取付ベースの厚さとほぼ等しくなるように構成され、前記防火戸と前記係合保持本体との間に保持し、前記出面調節具の前記裏面を前記係合保持本体の前面に当てることにより前記出面の調節し、前記出面調節具の前記前面を前記防火戸に仮止めすることにより前記扉保持フックの固定用の位置決めをすることを特徴とする自動閉鎖装置の出面調節具。
【請求項２】
前記出面調節具は、
ベースと、
このベースの左右端部から裏面側に略垂直に設けられ、前記取付板の開口部の左右側近傍に設けられた差込穴に差し込まれる一対の差し込み片と、
前記ベースの裏面側に設けられ、前記係合保持本体の前面の前記出面の調節をする調節片と、
を備えた請求項１記載の自動閉鎖装置の出面調節具。
【請求項３】
前記出面調節具は、
前記ベースを構成するベース面と、
前記ベース面の左右の折曲溝とこの折曲溝の上下の切込部を境界として、前記折曲溝に各々頭部が連設されたＴ字状面の脚部からなり、前記取付板に設けられた差込穴に差し込まれる差込片を構成する差込面と、
前記Ｔ字状面の頭部に前記差込面の両側に沿って設けられた折曲溝を境界として両側に連設され前記係合保持本体の前面の前記出面の調節をする調節片を構成する調節面と、
が一枚の可燃性剛性板材からなる展開形状をなし、    
前記出面調節具は、前記各折曲溝を略直角に折曲げることにより組み立てられ、
前記ベースの前面に前記扉保持フックの仮止め用の両面接着テープが貼り付けられたことを特徴とする請求項１記載の自動閉鎖装置の出面調節具。    
【請求項４】
前記可燃性剛性板材はミルクボードとしたことを特徴とする請求項１〜３のいずれかに記載の自動閉鎖装置の出面調節具。
【請求項５】
ミルクボードの厚さは、１．５ｍｍ以上としたことを特徴とする請求項４記載の自動閉鎖装置の出面調節具。
【発明の詳細な説明】
【技術分野】
【０００１】
この発明は、防火戸の自動閉鎖装置における係合保持本体の出面を調節し、扉保持フックの防火戸への取付位置決めを行う自動閉鎖装置の出面調節具に関するものである。
【背景技術】
【０００２】
従来の防火戸と対応する壁面に永久磁石と電磁石の組み合わせによる吸着、解放機構が設けられ、防火戸に設けられた吸着板を介して吸着、解放が行われる防火戸の自動閉鎖装置では、吸着、解放機構の出面がネジの調整部を有し、出面調整用のゲージは、環状板部とその一面方向に延び孔と対応する複数の脚部と他面方向に突出する突出部とからなり、環状板部の脚部側の面と突出部の先端との距離は吸着板の厚さと等しくしている。そして、出面調整は、吸着、解放機構の孔にゲージの脚部の先端を差し込み、防火戸が壁面と面一になるようにゲージを防火戸で押して差し込み、次に、防火戸を閉鎖方向に移動させネジにより吸着、解放機構の吸着面が環状板部の裏面と接触するように調整する（例えば、特許文献１参照）。
【０００３】
また、従来の自動閉鎖装置は、防火戸に取付られた扉保持フックに係合して防火戸を壁面に係合保持する係合保持本体と、係合保持本体を前後に摺動自在に支持する開口部を有するとともに壁面に取り付けられる取付板と、取付板に頭部が回動自在に嵌着された出面調整ネジと、係合保持本体の背面に設けられ前記出面調整ネジに螺合する背面板とを備えている（例えば、特許文献２参照）。
【０００４】
この構成の自動閉鎖装置とこれに用いられる従来の出面調節具について図８〜１３により、説明する。
図８は自動閉鎖装置本体と扉保持フックの斜視図、図９は扉保持フックが取り付けられた防火戸が壁面に取り付けられた自動閉鎖装置本体に係合して防火戸が非動作状態のときの断面図である。
図８、９に示すように、自動閉鎖装置は自動閉鎖装置本体１と扉保持フック２とからなり、自動閉鎖装置本体１は、扉保持フック２のフック部４に係合して防火戸１０を壁面３１に係合保持する係合保持本体６と、壁面３１に取り付けられる取付板７と、取付板７に頭部が回動自在に嵌着された出面調整ネジ９と、係合保持本体６の背面に設けられ出面調整ネジ９に螺合する背面板８と、を備えている。扉保持フック２は、取付穴３３を有するフック取付ベース３とフック部４からなる。
【０００５】
出面調節具は図１０、１２に示す係合保持本体６の取付板７からの出っ張りを調節する出面調節ピース３５と図１１、１３に示すように防火戸への扉保持フック取付位置決めをするフック取付ゲージ４０の２種類が用いられる。なお、出面調節ピース３５とフック取付ゲージ４０は樹脂成形品である。
図１０は出面調節ピース３５の展開図であり、ロの字状板部３６とこのロの字状板部３６の底面から左右に延設された一対の脚部３７、３８から構成され、ロの字状板部３６は底部から内外周と各辺の中央部から上方に延設されたリブで補強され、厚みは扉保持フック２のフック取付ベース３の厚みと同じである。また、脚部３７、３８は取付板７の差込穴１２、１３に差し込まれるもので、両側に補強用のリブが設けられている。また、脚部３７、３８のロの字状板部３６の付け根近傍の上面に折曲溝３９が設けられている。
【０００６】
図１１は、フック取付ゲージ４０の展開図であり、Ｔ字状板部４１とこのＴ字状板部４１の上面から上下に延設された一対の脚部４２、４３から構成され、Ｔ字状板部４１は上面の外周から下方に延設されたリブで補強され、厚みは扉保持フック２のフック取付ベース３の厚みと同じである。また、脚部４２、４３は係合保持本体６の受け部５に差し込まれるもので、脚部４２、４３のＴ字状板部４１の付け根近傍は厚さを薄くした折曲部４４、４５が設けられている。また、Ｔ字状板部４１にフック取付ベース３の取付穴３３の位置決め用の穴２９、３０が設けられ、Ｔ字状板部４１の前面には両面接着テープ２８が貼り付けてある。
【０００７】
次に、出面調節と扉保持フック取付位置決めの手順について説明する。まず、出面調節は図１２に示すように出面調節ピース３５の折曲溝３９から出面調節ピース３５の裏面側に両脚部３７、３８を約９０度に折り曲げ、両脚部３７、３８を取付板７の差込穴１２、１３に差し込み、防火戸１０を壁面３１と面一になるように押しつける。次に、係合保持本体６の前面６ａが出面調節ピース３５の裏面に当たるまで出面調節ネジ９を回して係合保持本体６を前面側に移動させる。次に、出面調節ピース３５の両脚部３７，３８を係合保持本体６の差し込み穴１２から引き抜く。
【０００８】
次に、扉保持フック２の取付位置決めは図１３に示すように、フック取付ゲージ４０の折曲部４４、４５をフック取付ゲージ４０の裏面側に両脚部４２、４３を約９０度に折り曲げ、両脚部４２、４３を係合保持本体６の受け部５に差し込み、フック取付ゲージ４０の両面テープの保護フィルムをはがす。この状態で、防火戸１０を壁面３１に押しつけるようにして防火戸１０に両面接着テープ２８を介してフック取付ゲージ４０を貼り付ける。次に、フック取付ゲージ４０の穴２９、３０に合わせて防火戸１０にタップ用の穴位置の印を付ける。そして、フック取付ゲージ４０を防火戸１０からはがし、付けた印にネジ用のタップを切る。次に、扉保持フック２を図示しないネジで防火戸１０に取り付ける。
【０００９】
【特許文献１】特公昭５６−１１０７号公報（第１頁〜第４頁、第２図、第３図）
【特許文献２】意匠登録第５８４１８８号公報（第１頁、第２頁）
【発明の開示】
【発明が解決しようとする課題】
【００１０】
特許文献１では、吸着、解放機構出面調節後の吸着板の取り付け用の穴の位置決めが容易でないという問題があった。
また、特許文献２の防火扉係止機に示した構成のものに用いられた自動閉鎖装置（防火扉係止機）（図８〜１１）の出面調節具及び調節方法は、防火戸に扉保持フックを取り付ける際、係合保持本体に出面調節具を差し込んだ状態で出面調節ネジにより係合保持本体の出面を調節した後、係合保持本体中心のラッチ部に差し込んだ取付用ゲージを防火戸に貼り合わせて扉保持フックの位置決めをしていたため、作業時間がかかっていた。また、出面調節具と取付用ゲージが樹脂成形品であるためかさばり、取付完了後は産業廃棄物とされていたという問題があった。
【００１１】
この発明は上述のような課題を解決するためになされたもので、必要最小限の大きさで、リサイクル可能な自動閉鎖装置の出面調節具を提供することを目的とする。
【課題を解決するための手段】
【００１２】
この発明の自動閉鎖装置の出面調節具は、前記防火戸に取付られ、フック部とこのフック部を前記防火戸に取付けるフック取付ベースとからなる扉保持フックと、前記扉保持フックに係合して前記防火戸を壁面に係合保持する係合保持本体と、この係合保持本体の出面を調節する出面調節機構とを備え、前記出面調節機構は、前記係合保持本体を前後に摺動自在に支持する開口部を有し、前記壁面に取り付けられる取付板と、前記取付板に頭部が回動自在に嵌着された出面調節ネジと、前記係合保持本体の背面に設けられ前記出面調節ネジに螺合する背面板とを有し、前記係合保持本体の前記出面の調節と前記扉保持フックの防火戸への取付位置決めを行う自動閉鎖装置の出面調節具において、前記出面調節具は、可燃性剛性板材からなり、前面と裏面の最大高さが前記フック取付ベースの厚さとほぼ等しくなるように構成され、前記防火戸と前記係合保持本体との間に保持し、前記出面調節具の前記裏面を前記係合保持本体の前面に当てることにより前記出面の調節し、前記出面調節具の前記前面を前記防火戸に仮止めすることにより前記扉保持フックの固定用の位置決めをするものである。
【００１３】
また、前記出面調節具は、ベースと、このベースの左右端部から裏面側に略垂直に設けられ、前記取付板の開口部の左右側近傍に設けられた差込穴に差し込まれる一対の差し込み片と、 前記ベースの裏面側に設けられ、前記係合保持本体の前面の前記出面の調節をする調節片と、を備えたものである。
【００１４】
また、前記出面調節具は、前記ベースを構成するベース面と、前記ベース面の左右の折曲溝とこの折曲溝の上下の切込部を境界として、前記折曲溝に各々頭部が連設されたＴ字状面の脚部からなり、前記取付板に設けられた差込穴に差し込まれる差込片を構成する差込面と、前記Ｔ字状面の頭部に前記差込面の両側に沿って設けられた折曲溝を境界として両側に連設され前記係合保持本体の前面の前記出面の調節をする調節片を構成する調節面と、が一枚の可燃性剛性板材からなる展開形状をなし、前記出面調節具は、前記各折曲溝を略直角に折曲げることにより組み立てられ、前記ベースの前面に前記扉保持フックの仮止め用の両面接着テープが貼り付けられたものである。
【００１５】
また、前記可燃性剛性板材はミルクボードとしたものである。
また、ミルクボードの厚さは、１．５ｍｍ以上としたものである。
【発明の効果】
【００１６】
この発明によれば、出面調節具は、可燃性剛性板材からなり、前面と裏面の最大高さがフック取付ベースの厚さとほぼ等しくなるように構成され、防火戸と係合保持本体との間に保持し、出面調節具の裏面を係合保持本体の前面に当てることにより出面の調節し、出面調節具の前面を防火戸に仮止めすることにより扉保持フックの固定用の位置決めをするので、必要最小限の大きさで構成することができ、調節時間削減ができ、また、リサイクルを可能とすることができる。
【００１７】
また、前記出面調節具は、ベースと、このベースの左右端部から裏面側に略垂直に設けられ、前記取付板に設けられた差込穴に差し込まれる一対の差し込み片と、 前記ベースの裏面側に設けられ、前記係合保持本体の前面の前記出面の調節をする調節片と、を備えたので、必要最小限の大きさで構成することができ、調節時間削減ができ、また、リサイクルを可能とすることができる。
【００１８】
また、前記出面調節具は、前記ベースを構成するベース面と、前記ベース面の左右の折曲溝とこの折曲溝の上下の切込部を境界として、前記折曲溝に各々頭部が連設されたＴ字状面の脚部からなり、前記取付板に設けられた差込穴に差し込まれる差込片を構成する差込面と、前記Ｔ字状面の頭部に前記差込面の両側に沿って設けられた折曲溝を境界として両側に連設され前記係合保持本体の前面の前記出面の調節をする調節片を構成する調節面と、が一枚の可燃性剛性板材からなる展開形状をなし、前記出面調節具は、前記各折曲溝を略直角に折曲げることにより即座に組み立てでき、前記ベースの前面に前記扉保持フックの仮止め用の両面接着テープが貼り付けられたので、シート状のため、かさばらなく、必要最小限の大きさがあり、取付完了後は、可燃ゴミ扱いで廃棄でき、リサイクル可能である。また、材料費が安く、部品点数が少なくでき、調節時間削減と低コスト化ができる。
【００１９】
また、前記可燃性剛性板材はミルクボードとしたもので、剛性もあり、必要最小限の大きさがあり、取付完了後は、リサイクル可能である。
【００２０】
また、ミルクボードの厚さは、１．５ｍｍ以上としたので、繰り返して使用することができる。
【発明を実施するための最良の形態】
【００２１】
図１はこの発明の実施の形態を示す自動閉鎖装置の出面調節具に用いられる自動閉鎖装置の斜視図、図２は扉保持フックが取り付けられた防火戸が壁面に取り付けられた自動閉鎖装置本体に係合したときの自動閉鎖装置の断面図、図３は扉保持フックの平面図、図４はこの発明の実施の形態を示す自動閉鎖装置の出面調節具の展開図、図５は出面調節具の組み立て手順を示す斜視図であり、（ａ）、（ｂ）、（ｃ）の順に折曲げて使用する。
【００２２】
図１〜３において、自動閉鎖装置は、防火戸１０に取付られ、フック部４とこのフック部４を防火戸１０に取付けるフック取付ベース３とからなる扉保持フック２と、防火戸１０に取付られた扉保持フック２のフック部４が挿入される受け部５を有し、フック部４に係合して防火戸１０を壁面３１側に係合保持する係合保持本体６と、係合保持本体６を前後に摺動自在に支持する開口部を有し、壁面３１に取り付けられる取付板７と、取付板７に頭部が回動自在に嵌着された出面調節ネジ９ａ、９ｂ、９ｃと、係合保持本体６の背面に設けられ出面調節ネジ９ａ、９ｂ、９ｃに螺合する背面板８と、取付板７の前面を覆う化粧プレート１１とを備え、壁面３１に埋設されたアウトレットボックス３２内に収納されている。
【００２３】
出面調節ネジ９ａ、９ｂ、９ｃは係合保持本体６の上面側に一本の出面調節ネジ９ａ、係合保持本体６の下面側に出面調節ネジ９ｂ、９ｃの２本の計３本が設けられている。そして、係合保持本体６の内部は、図示してないが、係合方向に付勢状態で回動可能に設けられ扉保持フック２を係合するラッチと、このラッチに形成された係止部を係止してラッチロックするロック片と、ロック片による係止を解除して扉保持フック２の係合を解除するソレノイドが設けられている。
【００２４】
係合保持本体６に係合保持される扉保持フック２は、防火戸１０に取り付けられ、取付穴１４を有するフック取付ベース３とフック部４が設けられている。
また、図３に示すように、ベースの取付穴１４は長穴であり上下端に皿もみ部１４ａ、１４ｂが設けられている。これは複数機種の自動閉鎖装置に使用でき、かつ、取付穴１４の上下端の位置で図示しない皿ネジでズレなく確実に固定できるようにするためのものである。
【００２５】
この構成において、自動閉鎖装置は、平常時には防火戸１０に取付られた扉保持フック２を係合して防火戸１０を開けた状態で壁面３１に係合保持し、火災等の非常時には扉保持フック２を解放して、防火戸１０を壁面３１に係合保持せずに非常口を閉じる。
【００２６】
図４において出面調節具１５は、一枚の可燃性剛性板材であるミルクボードからなり、展開形状は、ベース１６を構成するベース面１６ａと、ベース面１６ａの左右の折曲溝１７とこの折曲溝１７の上下の切込部１８、１９を境界として、折曲溝１７に各々頭部が連設されたＴ字状面の脚部からなり、係合保持本体６の取付板７に設けられた差込穴１２、１３に差し込まれる差込片２０、２１を構成する差込面２０ａ、２１ａと、Ｔ字状面の頭部に差込面２０ａ、２１ａの両側に沿って各々設けられた折曲溝２２、２３を境界として両側に連設され係合保持本体６の前面６ａの出面の調節をする調節片２４〜２７を構成する調節面２４ａ〜２７ａから構成される。
また、ベース１６には、扉保持フック２のフック取付ベース３の取付穴１４の下穴の位置決め用の穴２９、３０が設けられている。また、ベース１６の前面に扉保持フック２の仮止め用の両面接着テープ２８が貼り付けられている。
【００２７】
図５において、出面調節具１５は、各折曲溝１７、２２、２３を各々略直角に折曲げることにより組み立てられるが、まず、図５（ｂ）のように４つの調節片２４〜２７を折曲溝２２、２３でベース１６の裏側に略直角に折り曲げる。次に、一対の差込片２０、２１を折曲溝１７でベース１６の裏側に各々略直角に折り曲げ、図５（ｃ）の形状とする。
【００２８】
この構成における防火戸の自動閉鎖装置の出面調節具１５による出面の調節と扉保持フック２の位置決めについて図６、７により説明する。
まず、出面の調節は、図６に示すように出面調節具１５の一対の差込片２０、２１を取付板７の差込穴１２、１３に差し込み、防火戸１０を壁面３１と面一になるように押しつける。次に、係合保持本体６の前面６ａが出面調節具１５の調節片２４〜２７の裏側端部に当たるまで出面調節ネジ９ａ、９ｂ、９ｃを回して係合保持本体６を前面側に移動させる。このとき、３本の出面調節ネジ９ａ、９ｂ、９ｃを交互に回して係合保持本体６の前面６ａが垂直になるようにする。なお、係合保持本体６の前面６ａの出面は出荷時に最小に調節してある。
【００２９】
次に、扉保持フック２の取付位置決めは、図７に示すように、上述の状態で、出面調節具１５の両面接着テープ２８の保護フィルムを剥がし、防火戸１０を壁面に押しつけて防火戸１０に両面接着テープ２８を介して出面調節具１５を貼り付ける。次に、出面調節具１５の穴２９、３０に合わせて防火戸１０にタップ用の穴位置の印を付ける。そして、出面調節具１５を防火戸１０からはがし、付けた印にネジ用のタップを切る。次に、扉保持フック２をネジで防火戸１０に取り付ける。このとき、自動閉鎖装置の機種により、フック取付ベース３の取付穴１４の上下の皿もみ部１４ａ、１４ｂのいずれかを選択する。次に、化粧プレート１１を係合保持本体６にネジ止めする。この、フック取付ベース３の取付穴１４の上下の皿もみ部１４ａ、１４ｂで固定位置を変えられるので、自動閉鎖装置の機種が異なっても、扉保持フック２を変える必要がない。
【００３０】
次に、本実施の形態では出面調節具１５は、可燃性剛性板材として、ミルクボードを用いたが、この材料は次の検討結果により定めた。
まず、可燃性剛性板材としては、表１に示すようにミルクボード、コースター紙、片白チップの３種類を検討対象とした。
ミルクボードは、牛乳パックの使用材料で耐水性に優れ、例えば、板厚０．５ｍｍのものを積層して種々の厚みを持たせることができる。また、コースター紙は紙製コースターの使用材料である。片白チップは表面が白色コーティング、裏面が厚紙（グレー）で、単紙で板厚は自由に選択可能でき、コストが最も安い。
【００３１】
次に、検討対象の可燃性剛性板材について、
（１）湿度耐久試験（４０℃、９５％）
（２）防火戸取付試験
を行った。その結果を表１に示す。
【００３２】
【表１】
2009034139.tif 000003
【００３３】
湿度耐久試験については、ミルクボードが湿度印加前後でほとんど強度に変化がなく良好であった。コースター紙は平常時の強度がないため不採用とした。また、片白チップは、湿度印加すると極端に強度が落ち、また、材質が柔らかくなるため、取付板に付けた際、滑りが悪くなって良好でなかった。
以上の結果から、ミルクボードについてのみ板厚を変えて防火戸取付試験を行った。
その結果、板厚 1ｍｍでは取付板に少し曲がって取り付けた場合、腕が曲がってしまった。板厚１．５ｍｍでは、実使用上において、腕が曲がる等の不具合は発生せず良好であった。
以上の検討結果から、可燃性剛性板材はミルクボードとし、板厚は、１．５ｍｍの場合良好であり、板厚１ｍｍでは良好でなかったので、板厚を１．５ｍｍ以上とした。
【００３４】
なお、本実施の形態においては、防火戸１０にネジ止めされる扉保持フック２もフック取付ベース３には、一対の取付穴１４が設けられ、各取付穴１４は長穴であり、かつ、上下端に皿もみ部１４ａ、１４ｂが形成されている。そして、該当機種によって、そのいずれかに図示しない皿ネジを螺着することでフック取付ベース３が正確な位置に固定される。この取付穴１４は従来の長穴全周に皿もみ部が設けられているものとは異なり、皿もみ部１４はａ，１４ｂが上下端のみに形成されているので、振動等によって緩んだ皿ネジが長穴を動いてしまいフック取付ベース３の位置がずれることがない。
【００３５】
この皿ネジの位置に対して、取付穴１４をずらすことにより、防火戸１０に取り付けられるフック取付ベース３の位置をずらすことができる。そして、扉保持フック２に対する
自動閉鎖装置の機種に応じて扉保持フック２の位置をずらすことができる。
この長穴であり、かつ、上下端に皿もみ部１４ａ、１４ｂが形成されている長穴１４は、例えば、アウトレットボックス３２に取付けられる図示しないスイッチカバーに螺着する取付板７に設けてもよい。この場合、フック取付ベース３の一対の取付穴１４は真円でよい。
これにより、防火戸１０のフック取付ベース３の位置は動かさずに、係合保持本体６を動かすことで、自動閉鎖装置の機種が異なる場合でも対応できる。さらに、この機構は他の製品にも応用することができる。
【図面の簡単な説明】
【００３６】
【図１】この発明の実施の形態を示す自動閉鎖装置の出面調節具に用いられる自動閉鎖装置の斜視図である。
【図２】この発明の実施の形態を示す自動閉鎖装置の出面調節具に用いられる自動閉鎖装置の断面図である。
【図３】この発明の実施の形態を示す自動閉鎖装置の出面調節具に用いられる自動閉鎖装置の扉保持フックの平面図である。
【図４】この発明の実施の形態を示す自動閉鎖装置の出面調節具の展開図である。
【図５】この発明の実施の形態を示す自動閉鎖装置の出面調節具の組み立て手順を示す斜視図である。
【図６】この発明の実施の形態を示す自動閉鎖装置の出面調節具による出面の調節手順の説明図である。
【図７】この発明の実施の形態を示す自動閉鎖装置の出面調節具による扉保持フックの位置決めの説明図である。
【図８】従来の自動閉鎖装置の斜視図である。
【図９】従来の自動閉鎖装置の断面図である。
【図１０】従来の自動閉鎖装置の出面調節ピースの展開図である。
【図１１】従来の自動閉鎖装置のフック取付ゲージの展開図である。
【図１２】従来の自動閉鎖装置の出面調節手順の説明図である。
【図１３】従来の自動閉鎖装置の扉保持フックの取付位置決め手順の説明図である。
【符号の説明】
【００３７】
１  自動閉鎖装置本体、２  扉保持フック、３  フック取付ベース、４  フック部、５  受け部、６  係合保持本体、６ａ  前面、７  取付板、８  背面板、９  出面調節ネジ、１０  防火戸、１２  差込穴、１５  出面調節具、１６  ベース、１６ａ  ベース面、１７  折曲溝、１８、１９  切込部、２０、２１  差込片、２０ａ、２１ａ  差込面、２２  折曲溝、２４ａ〜２７ａ  調節面、２４〜２７  調節片、２８  両面接着テープ、２９、３０  穴、３１  壁面。
【図１】
2009034139.tif 000004
【図２】
2009034139.tif 000005
【図３】
2009034139.tif 000006
【図４】
2009034139.tif 000007
【図５】
2009034139.tif 000008
【図６】
2009034139.tif 000009
【図７】
2009034139.tif 000010
【図８】
2009034139.tif 000011
【図９】
2009034139.tif 000012
【図１０】
2009034139.tif 000013
【図１１】
2009034139.tif 000014
【図１２】
2009034139.tif 000015
【図１３】
2009034139.tif 000016